(57)【要約】【課題】会社、官公庁等において、主要な部屋の利用状況又は在室者行動状況を管理把握する為、設置並びに運用が簡単で、複数の建物間の通信も可能とした経済的にも優れた在室者管理共有システムを提供する。【解決手段】各々の在不在表示装置1に固有のＩＤを与えて各部屋を識別し、送信用ボタン3に部屋の利用状況又は在室者行動状況（例えば「在室」「会議」「社外」「退社」）を設定する。ある部屋の在不在表示装置1の送信用ボタン3を押した時、その信号はデータ処理用ＣＰＵ2で処理され、送受信部6によって送信される。送信されたデータは受信可能範囲にある全ての在不在表示装置1で受信され同一グループであるかどうかを識別する。同一グループと識別した場合は更にそのデータを再送信するとともに、在不在表示装置1の属するIDを識別し、表示部4ではそのＩＤに該当する部屋名の例えば「所長」と表示し、同時に部屋の利用状況又は在室者行動状況を表示する。【選択図】図４
2010271763.tif 000002
【特許請求の範囲】
【請求項１】
複数の送信用ボタン（操作部）3と表示用パネル（表示部）4と外部接続端子（外部信号入出力部）5とデータ処理用ＣＰＵ（データ処理部）2と通信用無線機（送受信部）6を組み込んでなる中継機兼用の在不在表示装置1。
【請求項２】
前記、在不在表示装置1にあって、送信用ボタン3の押下もしくは外部接続端子5からの信号入力によって送信できる送信手段と、送信側からの信号を受信し中継できる中継機能と、受信した信号を解析し表示できる表示用パネル4を併せ持つことを特徴とした在不在表示装置1を複数組み合わせてなる在室者管理共有システム。
【請求項３】
前記、在不在表示装置1にあって、送信側となる在不在表示装置1で生成する信号入力をデータ処理用ＣＰＵ2で処理して送信し、受信側となる在不在表示装置1ではデータを送受信部6で受信し、受信したデータをデータ処理用ＣＰＵ2で分析し、同一グループに属するかどうかを識別し、同一グループと識別した場合には受信データを送受信部6から再発信を行うとともに、種類コードに対応する部屋の利用状況又は在室者行動状況とIDコードに対応する部屋名を表示用パネル4によって表示することを特徴とする在室者管理共有システム。
【発明の詳細な説明】
【技術分野】
【０００１】
本発明は同一グループに属する各部屋の利用状況又は在室者の行動状況を共有するため、送受信が可能な在不在表示装置1を使用した在室者管理共有システムを実現する。
【背景技術】
【０００２】
同様の在室者管理システムは各企業、官公庁の入口受付や管理事務室などで従来から使用されている。表示されるものとしては役員室や会議室などの使用状態をランプの点灯・消灯によって示すものが多い。各部屋と表示パネル間は有線接続やネットワーク接続を利用していることが多い。
【０００３】
ところが、有線接続の場合には建物建設時に同時に配線されることが多く、建物建設後における設置位置の変更及び追加には配線工事が必要となり多額の費用を要する。
【０００４】
また、大抵の場合、情報の伝達が一方向通信となっていて、各部屋の利用状況又は在室者の行動状況を全ての利用者が共有できるシステムにはなっていない。
【０００５】
ネットワーク接続の場合は、専用ソフトを使えば利用者相互で在不在情報の共有はできる。また、ＬＡＮ接続端子があれば、たとえ別々の建物内にある部屋同士でも情報の受発信は可能である。だが、それを利用するには、該当する各部屋にＬＡＮ接続端子とパソコン等のネットワーク機器が必要である。ネットワーク機器の利用できない環境では送受信を行うことはできない。
【０００６】
本発明は、係る点に鑑みてなされたもので、その目的とするところは、簡単な操作で部屋の利用状況又は在室者行動状況について通報でき、さらに特別な操作なしで各部屋の利用状況又は在室者行動状況が表示できることにある。
【先行技術文献】
【特許文献】
【０００７】
【特許文献１】特開平１０−６１２８１号公報（一方向）、（分電盤  有線）
【特許文献２】特開平１０−２３５５４号公報（表示機１ヶ所、リモコン複数で構成）
【特許文献３】特開平９−２１２４５５号公報（パソコン利用による）
【特許文献４】特開平９−１４７２４４号公報（キャンパス）
【特許文献５】特開平６−２６６９７４号公報（有線２線式）
【発明の概要】
【発明が解決しようとする課題】
【０００８】
解決しようとする第一の課題は、有線システムにおける配線工事をなくすることにある。有線システムでは工事費等費用が高額となることから在不在表示装置1を設置する部屋の変更や追加が簡単にできない。このため建物建設時に設置されたシステムが部屋の利用形態の変化により、使われないままとなってしまうことが多い。
【０００９】
有線システムでは複数の建物群で共通の通信をおこなう場合、屋外の配線を必要とし、建物間に公道がある場合には架線のために道路管理者の使用許可を必要とする場合がある。
【００１０】
ＬＡＮによる在室者行動状況の表示方法では複数項目の情報送受信が可能だが、常時その為のパソコン等ネットワーク機器が稼働している必要があり、更にパソコン内の情報によって入力・監視する必要がある。
【００１１】
ネットワーク機器がこのような利用環境にない場合は在室者行動状況の情報取得ができない。また、共通したＩＰアドレス管理が必要となるのでネットワーク管理者がいないか、管理を外部に依存している場合はネットワーク管理が容易でない。
【００１２】
解決しようとする第二の課題は、送信側で部屋の利用状況又は在室者行動状況のひとつを選んでワンプッシュするだけで、送信側の部屋のアドレスと部屋の利用状況又は在室者行動状況が送信でき、受信側にあるすべての在不在表示装置1は各部屋の利用状況又は在室者行動状況を自動的に表示できることにある。
【００１３】
従来の在不在表示システムは、特定の機器から管理者が入力操作をしている。本システムではすべての在不在表示装置1で入力操作を行うことができるもので
【００１４】
送受信可能な無線通信機器に、送信する為の入力手段、送受信するデータの識別を可能にするＣＰＵ、送受信するデータの表示手段を組み込んだ機器で構成する在不在表示装置1を複数組み合わせてなる在室者管理共有システムを特長とする。
【課題を解決するための手段】
【００１５】
本発明が講じた解決手段は、有線を使用しない無線通信方法を用い、例えば公道を挟んで離れた建物同士の中にある部屋とも通信を可能にしたもので
【００１６】
在不在表示装置1には送受信可能な無線通信モジュールを組み込んで、グループ内の各部屋の利用状況又は在室者行動状況の取得を可能とした機器を提供する。
【００１７】
各部屋の利用状況又は在室者行動状況とは、単に部屋の在不在を示すランプの点灯・消灯にとどまらず、例えば「在室」ランプの点灯・消灯のほか、「会議」、「社外」、「退社」などの在室者行動状況の表示を可能としたものである。
【００１８】
ＬＡＮを利用しない利点は、パソコン等ネットワーク機器との競合可能性のあるＩＰアドレスの管理を必要とせず、だれでも電源に在不在表示装置1を接続するだけで送受信でき、自動的に受信した内容が常時表示される点にある。
【００１９】
無線通信とする利点は、運用している途中での在不在表示装置1の移動のほか、追加増設が必要な場合、配線工事なしに在不在表示装置1を移動、追加して設置することができる点にある。
【００２０】
中継機能を有する利点は、在室者管理共有システム利用者においては無線免許を必要としない無線が使用でき、かつ広範囲な通信を可能とすることにある。
【００２１】
複数の情報が発信できる利点は、例えば個室（研究室など）に執務しているときの在不在情報の把握、来客ランプがついたときの来訪者管理などが管理者側で容易となることにある。
【００２２】
情報を共有する利点は、管理者、来訪者のみが各部屋の利用状況又は在室者行動状況を把握するだけでなく、在不在表示装置1が設置されている部屋の利用者同士も互いに情報を発信でき取得し合える点にある。特に緊急時（急病、火災、不審者など）は押しボタンに「急病」等の設定をしておけば、近くの利用者からの迅速な応援が期待できる。
【発明の効果】
【００２３】
本発明の在室者管理共有システムは、使用者において電気工事に係る技術と費用を必要とせず、容易に在不在表示装置1の設置位置の変更や追加ができ、利用者同士が部屋の利用状況又は在室者自身の行動状況を共有できる点にある。
【図面の簡単な説明】
【００２４】
【図１】図１は在室者管理共有システムの実施方法を示した説明図である。（実施例１）
【図２】図２は在室者管理共有システムの通信手順を示した説明図である。
【図３】図３は在不在表示装置1の構成を示すブロック図である。（実施例２）
【図４】図４は在不在表示装置1の正面図である。
【図５】図５は在不在表示装置1の送信時と受信時の動作を示すフローチャートである。
【発明を実施するための形態】
【００２５】
本発明による在室者管理共有システムは、ひとつの建物内あるいは複数の建物内にある複数部屋の利用状況又は在室者行動状況を相互に連絡しあうシステムに適用される。
【実施例１】
【００２６】
図１に示すように、本実施形態の在室者管理共有システムは在不在表示装置1を複数箇所に設置する。在不在表示装置1同士の通信は無線通信により行うもので、中継機能も同時に有するものである。
【００２７】
混線を防ぐため各在不在表示装置1にはそれぞれ固有のIDコードをつける。
【００２８】
送信側において、部屋の利用状況又は在室者行動状況を示す3-1〜nのいずれかの種類コード送信用ボタンを押すと、押したボタンが点灯し、その在不在表示装置1固有のグループコードとIDコードおよび押された種類コードが自機以外のすべての在不在表示装置1に送信される。送信は押しボタンによる他、外部接続端子とリモコンによることもできる。
【実施例２】
【００２９】
図３に示すように在不在表示装置1はデータ処理部（CPU）2、操作ボタン3、表示部4、外部信号入出力部5、送受信部6によって構成される。
【００３０】
送信時は操作部の種類コード送信用ボタン3-1〜nの一つを押すことでボタンを点灯させ、押したボタンの種類コードとともにグループコード、自機ＩＤコードがデータ処理部（ＣＰＵ）2で種類コードに付加され送信される。
【００３１】
前記操作部ボタン3の代わりに外部信号入出力部5からもデータの入力を行うことができる。
【００３２】
送受信部6からの送信動作とともに自機の表示部4にも押したボタンの種類コードに該当する部屋の利用状況又は在室者行動状況の表示を行う。
【００３３】
受信時は送受信部6で受信したデータをデータ処理部（ＣＰＵ）2で解析する。
【００３４】
データ処理部（ＣＰＵ）2での解析は、グループコードによって同一グループであるかどうかを判断し、同一グループではないときは受信データを破棄して受信待機状態に戻る。
【００３５】
同一グループと認識した場合は、受信したデータを送受信部6から再送信するとともに、種類コードに該当する部屋の利用状況又は在室者行動状況の表示を行う。
【産業上の利用可能性】
【００３６】
本発明の利用可能性は、種類コードの表示内容を変えることによって、グループ内での情報送受信、例えば「学校内での不審者情報」、「生産ラインの部品過不足情報」、「家庭内要介護者の情報伝達手段」などにおいても利用される。
【符号の説明】
【００３７】
1    本発明の在不在表示装置1である。
2    入力したデータを処理し、出力するためのＣＰＵである。
3    種類コードを入力し送信するための操作部（押しボタン）である。
4    送受信したデータを表示するための表示部である。
5    センサーなど外部からの信号を取り込むためと、大型表示板などに出力するための外部信号入出力部である。
6    無線通信を行うための送受信部（通信用無線機）である。
【図１】
2010271763.tif 000003
【図２】
2010271763.tif 000004
【図３】
2010271763.tif 000005
【図４】
2010271763.tif 000006
【図５】
2010271763.tif 000007